【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
外周面に複数の図柄が描かれたドラムを複数同軸にして横方向に並べ、各ドラムを回転させ、各ドラムごとに用意された停止スイッチの押下に従って対応するドラムを停止させ、すべてのドラムが停止した際の停止態様が有効なライン上に特定の図柄の揃う当選パターンのとき、通常よりも有利な遊技状態で遊技を行うことのできる特別遊技状態に移行して遊技者に利益を付与するスロットマシンにおいて、
前記各ドラムを照明する照明手段と、
前記各ドラムを紫外線で照明する紫外線照明手段と、
前記遊技状態を前記当選パターンが出現し得るように設定された当選可能状態と前記当選パターンが出現しないように設定された当選不可能状態とに切り替え各遊技状態を設定する遊技状態設定部と、
前記照明手段および前記紫外線照明手段の点灯消灯を切り替え制御する前記照明切替部と、
を有し、
前記複数の図柄の少なくとも１つの目押し用図柄を蛍光塗料で形成するとともに他の図柄を非蛍光塗料で形成し、
前記照明切替部は、前記遊技状態設定部によって遊技状態が前記当選パターンが出現し得るように設定された当選可能状態に設定されている間、前記照明手段を消灯あるいは薄灯させかつ前記紫外線照明手段を点灯させることを特徴とするスロットマシン。
【請求項２】
前記照明切替部は、前記遊技状態設定部が遊技状態を前記当選不可状態から前記当選可能状態に切り替えた場合に、前記照明手段を消灯あるいは薄灯させかつ前記紫外線照明手段を点灯することを特徴とする請求項１記載のスロットマシン。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
【課題を解決するための手段】
かかる目的を達成するための本発明の要旨とするところは、次の各項の発明に存する。
［１］外周面に複数の図柄が描かれたドラム（３０ａ〜３０ｃ）を複数同軸にして横方向に並べ、各ドラム（３０ａ〜３０ｃ）を回転させ、各ドラム（３０ａ〜３０ｃ）ごとに用意された停止スイッチ（１２ａ〜１２ｃ）の押下に従って対応するドラム（３０ａ〜３０ｃ）を停止させ、すべてのドラム（３０ａ〜３０ｃ）が停止した際の停止態様が有効なライン上に特定の図柄の揃う当選パターンのとき、通常よりも有利な遊技状態で遊技を行うことのできる特別遊技状態に移行して遊技者に利益を付与するスロットマシンにおいて、
前記各ドラム（３０ａ〜３０ｃ）を照明する照明手段（６１）と、
前記各ドラム（３０ａ〜３０ｃ）を紫外線で照明する紫外線照明手段（６２）と、
前記遊技状態を前記当選パターンが出現し得るように設定された当選可能状態と前記当選パターンが出現しないように設定された当選不可能状態とに切り替え各遊技状態を設定する遊技状態設定部（４３）と、
前記照明手段（６１）および前記紫外線照明手段（６２）の点灯消灯を切り替え制御する前記照明切替部（５３）と、
を有し、
前記複数の図柄の少なくとも１つの目押し用図柄（３５）を蛍光塗料で形成するとともに他の図柄を非蛍光塗料で形成し、
前記照明切替部（５３）は、前記遊技状態設定部（４３）によって遊技状態が前記当選パターンが出現し得るように設定された当選可能状態に設定されている間、前記照明手段（６１）を消灯あるいは薄灯させかつ前記紫外線照明手段（６２）を点灯させることを特徴とするスロットマシン。
【手続補正４】
【補正対象書類名】明細書
【補正対象項目名】００１３
【補正方法】変更
【補正の内容】
【００１３】
［２］前記照明切替部（５３）は、前記遊技状態設定部（４３）が遊技状態を前記当選不可状態から前記当選可能状態に切り替えた場合に、前記照明手段（６１）を消灯あるいは薄灯させかつ前記紫外線照明手段（６２）を点灯することを特徴とする［１］記載のスロットマシン。
【手続補正５】
【補正対象書類名】明細書
【補正対象項目名】００１４
【補正方法】変更
【補正の内容】
【００１４】
前記本発明は次のように作用する。
本発明の構成によれば、目押し用図柄（３５）を蛍光塗料で形成するとともに他の図柄を非蛍光塗料で形成し、前記照明切替部（５３）は、遊技状態設定部（４３）によって遊技状態が前記当選パターンが出現し得るように設定された当選可能状態に設定されている間、照明手段（６１）を消灯あるいは薄灯させかつ紫外線照明手段（６２）を点灯させるので、当選可能状態の間、目押し用図柄（３５）だけが他の図柄よりも明るく光るようにしたものである。
【手続補正６】
【補正対象書類名】明細書
【補正対象項目名】００１５
【補正方法】変更
【補正の内容】
【００１５】
また、遊技状態設定部（４３）が、当選パターンが出現しないように設定された当選不可状態から、少なくとも当選パターンが出現し得るように設定された当選可能状態に遊技状態を切り替えた場合に、遊技者は目押し用図柄（３５）を狙って、目押しを開始しようとする。このとき、遊技者側から目押し用図柄（３５）だけが他の図柄よりも明るく見えるようにする。すなわち、目押し用図柄（３５）だけを蛍光塗料で形成し、当選可能状態になったとき、前記照明切替部（５３）が、照明手段（６１）を消灯あるいは薄灯して紫外線照明手段（６２）を点灯する。これにより、目押し用図柄（３５）だけが明るく光って見えるようになる。
【手続補正７】
【補正対象書類名】明細書
【補正対象項目名】００３６
【補正方法】変更
【補正の内容】
【００３６】
このように、目押し用図柄が他の図柄より明るく光って見えるように照明状態が変化するので、遊技者は、現在、当選可能状態に入っていることを容易に認識することができる。さらに、当選可能状態に入ったことを認識した遊技者は、目押しによって当選パターンでの停止を狙ってストップボタン１２ａ〜１２ｃを押下する。このとき、目押し用図柄３５が他の図柄よりも明るく光って見えるので、この光る目押し用図柄３５を基準にして、適正なタイミングで第１〜第３のストップボタン１２ａ，１２ｂ，１２ｃを押下し、極めて容易に当選パターンの図柄のドラムを停止させることができる。当選パターンが出現した場合には、遊技状態設定部４３は、遊技状態を特別遊技状態に移行させ、ボーナスゲームを開始する。
【手続補正８】
【補正対象書類名】明細書
【補正対象項目名】００３８
【補正方法】変更
【補正の内容】
【００３８】
さらに、実施の形態では照明切替部５３が紫外線照明手段６２を点灯する際には、白色照明手段６１を消灯するように構成したが、白色照明手段６１を薄灯させておいてもよい。
【手続補正９】
【補正対象書類名】明細書
【補正対象項目名】００３９
【補正方法】変更
【補正の内容】
【００３９】
【発明の効果】
以上説明したように、本発明によれば、目押し用図柄を蛍光塗料で形成するとともに他の図柄を非蛍光塗料で形成し、当選パターンが出現し得るように設定された当選可能状態に設定されている間、照明手段を消灯あるいは薄灯させかつ紫外線照明手段を点灯させることで、目押し用図柄だけが光るので、目押し用図柄を目安に停止スイッチを押下すれば、極めて容易に目押しを行うことができ、メダルや時間を無駄にせず、初心者でもゲームを十分に楽しむことができる。
また、遊技状態が前記当選不可能状態から前記当選可能状態に切り替わった場合に、前記照明手段を消灯あるいは薄灯させかつ前記紫外線照明手段を点灯させることで目押し用図柄だけが光るので、目押し用図柄を目安に停止スイッチを押下げすれば、極めて容易に目押しを行うことができ、メダルや時間を無駄にせず、初心者でもゲームを十分に楽しむことができる。